(57)【特許請求の範囲】
【請求項１】
右側頬肉と右側歯列の間に装着される部材（４）、顎肉と前歯列の間に装着される部材（５）、及び左側頬肉と左側歯列の間に装着される部材（６）を有し、上記部材（４）、（５）及び（６）が連結部材（２）により一体に連結されており、部材（４）及び部材（６）には各部材を口腔内に固定するための固定部材（１）及び（３）が設けられていて、連結部材（２）の中央部分は部材（５）を貫通し、一方の端が部材（４）に挿入され、他方の端が部材（６）に挿入されている、皺伸ばし用マウスピース。
【請求項２】
固定部材（１）及び（３）の一方の端はそれぞれ部材（４）及び（６）に挿入されており、他方の端はそれぞれ奥歯に固定され得る形状を有している、請求項１に記載の皺伸ばし用マウスピース。
【請求項３】
部材（４）、（５）及び（６）が歯科用レジンからなるものである、請求項１又は２に記載の皺伸ばし用マウスピース。
【請求項４】
連結部材（２）及び固定部材（１）及び（３）が、金又は金合金からなるものである、請求項１から３の何れかに記載の皺伸ばし用マウスピース。
【請求項５】
常温で柔軟性・ゴム弾性・保形性を有すると共に人体温度で変形しないで、加熱時に自由成形が可能な合成樹脂を素材とし、人の左大臼歯位置から右大臼歯位置に至る長さと口腔前庭において歯肉の高さよりも低い上下寸法を備え、かつ、口腔前庭において歯肉と頬粘膜が対向する位置部分及び前歯個所の歯肉と口唇粘膜が対向する位置部分ではその部分を頬粘膜側及び口唇粘膜側に張出させて前後寸法を大きくすると共に犬歯個所の歯肉と口唇粘膜が対向する位置部分は前後寸法を小さくし、さらに、全体としての凹凸及び輪郭をなだらかな曲線で連続させて成形してあることを特徴とした豊頬ピース。
【請求項６】
歯肉と頬粘膜が対向する位置部分の前後寸法を最も大きく、これに対して前歯個所の歯肉と口唇粘膜が対向する位置部分の前後寸法を比較的小さく形成してあることを特徴とした請求項５に記載の豊頬ピース。
【請求項７】
臼歯側の歯肉と頬粘膜が対向する位置部分の上下寸法を大きく、前歯側の歯肉と唇粘膜が対向する位置部分の上下寸法を小さく形成してあることを特徴とした請求項５または６に記載の豊頬ピース。
【請求項８】
口唇小帯と歯肉が対向する部分の幅と厚みが犬歯個所の歯肉と口唇粘膜が対向する位置部分のそれらと同等以下であることを特徴とした請求項５〜７の何れか一つに記載の豊頬ピース。
【請求項９】
歯肉と頬粘膜が対向する位置部分の歯肉に接する面に複数の歯肉吸着用凹部をもつことを特徴とした請求項５〜８の何れか一つに記載の豊頬ピース。
【請求項１０】
素材とする合成樹脂が酢酸ビニルの含有量を調整したＥＶＡ（エチレン酢酸ビニル共重合体）であることを特徴とした請求項５〜９の何れか一つに記載の豊頬ピース。
【請求項１１】
人の左大臼歯位置から右大臼歯位置に至る全長を５０〜１５０ｍｍ、最大の前後方向張出し個所を、長手方向の中央から１０〜５０ｍｍの左右両側位置としその張出し寸法を５〜１５ｍｍとしてあることを特徴とした請求項５〜１０の何れか一つに記載の豊頬ピース。
【発明の詳細な説明】
【技術分野】
【０００１】
本発明は、皺伸ばし用マウスピースに関する。より詳細には、本発明は、熟年者や病人など頬がこけた人が外見的に頬を豊満したように見せるために口腔内に装着する、皺伸ばし用マウスピースに関する。さらに本発明は、口中に装着して顔面を内側から物理的に押出し、美容・成形する一種のマウスピースに関する。
【背景技術】
【０００２】
口元に生じた皺を伸ばすため、従来は、例えば、観血的に、組織内にシリコンを埋め込む技術が行われてきた。しかしながら、手術には時間がかかり、術後疼痛の問題もあり、また手術の傷が残りやすいなど、患者にかかる負担が大きかった。これらの問題を解決するために、ゼラチンや寒天などの食品用ゲル素材、シリコンゴム、合成樹脂等によるマウスピースを用いる方法が提案されているが、いずれも実用性に乏しく、商品化はされていない。【０００３】
加齢による皮膚のたるみや皺による顔つきの変貌は老齢を思わせる。その典型的なものは図１３のイ〜ニに示すように、鼻唇溝や口角溝、頬肉の垂れ下がりあるいや顎のしゃくれである。また、図１３ホのように、事故や手術などで容貌が変化してしまうことがある。このような変貌は本人にとり不快であって、いつまでも若く、あるいは元の容貌に戻したいのが人情である。さらに、経済的な余裕の拡大と共に美容意識も高まり,自分の容貌を整えたいとの願望が強くなっている。【０００４】
鼻唇溝や口角溝、頬肉の垂れ下がりあるいや顎のしゃくれは、頬肉や唇の肉を物理的に吊り上げたり押出したりすることで緩和することができる。このために、種々のマウスピースないしマウスピース様製品が開発されている。【０００５】
なお、欧米人の場合は上顎部にもたるみや皺が深く現れることが多く、容貌を整えるためのマウスピースを上下の口腔前庭の双方に装着することがおおいが、東洋人の場合は下側の口腔前庭への装着だけで充分なことも多い。【０００６】
実開平５−５１２１０号公報は、上唇と歯茎の間に差し込み法令線部を盛り上げることにより、一見若く見えるようにする為の顔面整形具を開示している。実開平５−２６０１１号公報は、歯茎の外側に装着し、口元に生じた皺を伸ばせるようにしたゴムなどの可撓性素材からなる皺伸ばし用マウスピースを開示している。実開平４−３６９１８号公報は、維持装置の両側に突起部を設け、突起部を合成樹脂で被覆した顔貌改良装置を開示している。実開平２−１１２２１３号公報は、歯に掛けとめる鈎片を取付けた豊頬具を開示している。ＷＯ２００４/０５６２６１号公報は、美容のための人工補装具を開示している。
【発明の開示】
【発明が解決しようとする課題】
【０００７】
上記した従来技術の技術的思想はいずれも歯肉と頬粘膜あるいは口唇粘膜との間の離隔部（口腔前庭）にマウスピースあるいはマウスピース様部材を装着することで唇あるいは頬肉を押出し、これにより皺を伸ばして容貌を整えようとするものであるが、いずれも形態が固定されているので、調整が困難である。そのため、利用者は自分の口腔前庭の構造にあった既製品を探すか、注文による特注品を取寄せなければならない。実際には歯科医院を訪問し特注せざるを得ない場合が多い。また、皺や皮膚のたるみなども個人差が大きく、適切なマウスピース（豊頬ピースと呼ぶ）を得るまでには何度も修正を加えなければならない。このために豊頬ピースは高価なものとなる。さらに、実開平４−３６９１８号公報の顔貌改良装置のように硬質の部分があったり、実開平２−１１２２１３号公報のように掛けとめ具があると口中に違和感が生じ、慣れるのに時間を要する。【０００８】
本発明は、上記した従来技術の問題を解決することを解決すべき課題とした。即ち、本発明は、手術を行うことなく患者に負担をかけずに、口元に生じた皺を伸ばすためのマウスピースを提供することを解決すべき課題とした。本発明はまた、気軽に安価で、つけ爪やつけまつ毛などと同様に美容感覚で利用でき、しかも、自分で調整して自分の口腔前庭にフィットしたものとすることができる豊頬ピースを提供することを解決すべき課題とした。
【課題を解決するための手段】
【０００９】
本発明者らは上記課題を解決するために鋭意検討した結果、歯科技工で用いられている金合金と義歯床用レジンを組み合わせて、実用性、耐久性、及び安全性を有する皺伸ばし用マウスピースを作製することに成功し、本発明を完成するに至った。【００１０】
即ち、本発明の第一の態様によれば、右側頬肉と右側歯列の間に装着される部材４、顎肉と前歯列の間に装着される部材５、及び左側頬肉と左側歯列の間に装着される部材６を有し、上記部材４、５及び６が連結部材２により一体に連結されており、部材４及び部材６には各部材を口腔内に固定するための固定部材１及び３が設けられている、皺伸ばし用マウスピースが提供される。【００１１】
好ましくは、連結部材２の中央部分は部材５を貫通し、一方の端が部材４に挿入され、他方の端が部材６に挿入されている。【００１２】
好ましくは、連結部材２はリング状部材であるか、板状部材である。
好ましくは、固定部材１及び３の一方の端はそれぞれ部材４及び６に挿入されており、他方の端はそれぞれ奥歯に固定され得る形状を有している。【００１３】
好ましくは、部材４、５及び６は歯科用レジンからなるものである。【００１４】
好ましくは、連結部材２及び固定部材１及び３は、金又は金合金からなるものである。【００１５】
更に本発明の第二の態様によれば、本発明の豊頬ピースは後述のような矯正用基本形態を備えたものであり、利用者（購入者）が自分の口腔前庭の構造に合わせて形態を変形調整できるものである。すなわち、製品として矯正用基本形態を備えることによって利用者による形態の調整が最も少なくて済むようになっている。【００１６】
即ち、本発明の第二の態様によれば、常温で柔軟性・ゴム弾性・保形性を有すると共に人体温度で変形しないで、加熱時に自由成形が可能な合成樹脂を素材とし、人の左大臼歯位置から右大臼歯位置に至る長さと口腔前庭において歯肉の高さよりも低い上下寸法（幅）を備え、かつ、口腔前庭において歯肉と頬粘膜が対向する位置部分及び前歯個所の歯肉と口唇粘膜が対向する位置部分ではその部分を頬粘膜側及び口唇粘膜側に張出させて前後寸法（厚み）を大きくすると共に犬歯個所の歯肉と口唇粘膜が対向する位置部分は前後寸法を小さくし、さらに、全体としての凹凸及び輪郭をなだらかな曲線で連続させて成形してあることを特徴とした豊頬ピースが提供される。【００１７】
本発明の第二の態様において好ましくは、歯肉と頬粘膜が対向する位置部分の前後寸法を最も大きく、これに対して前歯個所の歯肉と口唇粘膜が対向する位置部分の前後寸法を比較的小さく形成してある。【００１８】
本発明の第二の態様において好ましくは、臼歯側の歯肉と頬粘膜が対向する位置部分の上下寸法を大きく、前歯側の歯肉と唇粘膜が対向する位置部分の上下寸法を小さく形成してある。
本発明の第二の態様において好ましくは、口唇小帯と歯肉が対向する部分の幅と厚みが犬歯個所の歯肉と口唇粘膜が対向する位置部分のそれらと同等以下である。
本発明の第二の態様において好ましくは、豊頬ピースは、歯肉と頬粘膜が対向する位置部分の歯肉に接する面に複数の歯肉吸着用凹部をもつ。【００１９】
本発明の第二の態様において好ましくは、素材とする合成樹脂は酢酸ビニルの含有量を調整したＥＶＡ（エチレン酢酸ビニル共重合体）である。
本発明の第二の態様において好ましくは、全長を９０〜１１０ｍｍ、最大の前後方向張出し個所を中央から２５〜３５ｍｍの左右両側位置としその張出し寸法を７〜１３ｍｍとしてある。
【発明を実施するための最良の形態】
【００２０】
以下、本発明の実施の形態を、図面を参照しながら説明する。
図１は本発明の第一の態様による皺伸ばし用マウスピースの上面図であり、図４は本発明の第一の態様による皺伸ばし用マウスピースの斜視図である。本発明のマウスピースは、右側頬肉と右側歯列の間に装着される部材４、顎肉と前歯列の間に装着される部材５、及び左側頬肉と左側歯列の間に装着される部材６を有し、部材４、５及び６は、下側の歯列に装着されるものでもよいし、上側の歯列に装着されるものでもよい。部材４、５及び６は、歯科用レジンからなるものであることが好ましい。本発明で用いる歯科用レジンは、天然樹脂または合成樹脂の何れでもよいが、一般的にはアクリルレジンが用いられる。アクリルレジンとしては、アクリレート系ポリマー又はメタクリレート系ポリマーなどが挙げられ、メタクリレート系ポリマーが好ましい。アクリルレジンは透明な素材で自由に着色でき、加工が容易で、無味、無臭、無毒で、日常の使用に耐える耐久性を有しているので、好ましい。部材４、５及び６の大きさや形状は、当該マウスピースを装着する個人の歯型や口腔内の形状に適合するように成型されていることが好ましい。即ち、部材４、５及び６の大きさや形状は、使用者個人ごとに、その歯型、頬の形、装着時の顔形などに応じて、歯科医師が型取りした上で最適な寸法、形状に成形することが好ましい。例えば、部材４及び６は、それぞれ上顎又は下顎の、右側又は左側の臼歯（奥歯）部に合致する程度の大きさとすることができる。【００２１】
また、部材４、５、６の色は特に限定されず、無色透明でもよいし、あるいは着色（ピンク色、青色、緑色、赤色、黄色など任意の色でよいが、口腔内の肉色に類似させるという観点からはピンク色が好ましい）してもよい。【００２２】
本発明のマウスピースにおいては、上記部材４、５及び６は連結部材２により一体に連結されている。図２は、本発明の皺伸ばし用マウスピースの正面図である。図２に示す通り、連結部材２の中央部分は部材５を貫通し、一方の端が部材４に挿入され、他方の端が部材６に挿入されている。図２は、連結部材２がリング状部材である場合を示しているが、連結部材２は板状部材であってもよい。【００２３】
また、本発明のマウスピースにおいては、部材４及び部材６には各部材を口腔内に固定するための固定部材１及び３が設けられている。図１及び図４に示す通り、固定部材１及び３の一方の端はそれぞれ部材４及び６に挿入されており、他方の端はそれぞれ奥歯に固定され得る形状を有している。【００２４】
連結部材２及び固定部材１及び３の材料としては、歯科技工で用いられている金属を使用することができ、好ましくは金又は金合金である。金合金としては、例えば、白金加金を使用することができる。【００２５】
次に本発明の第二の態様による豊頬ピースについて説明する。
豊頬ピースの素材は、常温で柔軟・ゴム弾性・保形性を有すると共に人体温度で変形しないで、加熱時に自由成形が可能な合成樹脂とする。これにより、前記のように利用者が自分に最適なように形状を調整・変形することが可能となる。【００２６】
製品の長さは通常人の左第３大臼歯位置から右第３大臼歯位置に至る長さが好ましい。これにより口腔前庭において前歯から左右両側へ、第３臼歯の位置（口腔前庭の終端位置）まで豊頬ピースを配置することができ、必要に応じて口唇から頬までの領域で必要個所を外方へ押出すことができる。しかしながら使用する人の必要に応じてこの豊頬ピースの長さは、左大臼歯から右大臼歯間の長さにおいて任意に増減させることもできる。
豊頬ピースの上下寸法（顔を正面から見る方向での上下幅）は、口腔前庭において歯肉の高さよりも低くする。これにより、口を開けたときとか笑ったときに豊頬ピースが露出することを少なくできる。【００２７】
豊頬ピースの前後寸法（厚み）は、口腔前庭において歯肉と頬粘膜が対向する位置部分及び前歯個所の歯肉と口唇粘膜が対向する位置部分では、その部分を頬粘膜側及び口唇粘膜側に張出させて大きくする。一方、犬歯個所の歯肉と口唇粘膜が対向する位置部分は前後寸法を小さくする。このように予め基本的な凹凸を設けておくことにより、利用者が自分で形状を調整する量が少なくなり、また、調整すべき個所の目途がつくので調整しやすくなる。【００２８】
なお、豊頬ピースはこのように全体としての凹凸を有するものとなるが、凹凸や輪郭を含む全体の形状は連続したなだらかな曲線で形成される。また、本発明の豊頬ピースは上下の口腔前庭のいずれにも利用できるものであり、必要に応じて上下の両方へ同時に利用することもできるものである。【００２９】
また、歯肉と頬粘膜が対向する位置部分の前後寸法(厚み)を最も大きく、これに対して前歯個所の歯肉と口唇粘膜が対向する位置部分の前後寸法を比較的小さく形成しておくと、最も好都合である。【００３０】
さらに、臼歯側の歯肉と頬粘膜が対向する位置部分の上下寸法を大きくし、前歯側の歯肉と口唇粘膜が対向する位置部分の上下寸法をこれより小さく形成しておけば、利用者による修正の必要度合いは小さくなり、利便性が高まる。【００３１】
また,豊頬ピースの中央部、すなわち口唇小帯と歯肉が対向する部分においては、その高さ（上下巾）および前後寸法（厚み）を、犬歯個所の歯肉と口唇粘膜が対向する位置部分のそれらと同等以下にすることにより、その部分のフィット感を予め高めることができる。【００３２】
さらに、豊頬ピースの歯肉と頬粘膜が対向する部分の歯肉に接する面に歯肉を吸着するための吸盤凹部を複数個設けることにより、柔らかな歯肉粘膜と唾液の影響で豊頬ピ−スの密着性が高まり、使用中に豊頬ピースがずれることを防ぐことができる。【００３３】
本発明の第二の態様による豊頬ピースの材料としては、人体温度で柔軟性・ゴム弾性・保形性を有し、短時間の接触であれば人が手などを火傷しない程度の温度（７０〜９０℃）で可塑性を有する素材であって安全性に問題が無い素材であれば使用できる。代表的な例はＥＶＡ樹脂（エチレン酢酸ビニル共重合体）である。この樹脂は酢酸ビニルの含有量を調整することで、常温で柔軟性・ゴム弾性・保形性を有すると共に人体温度で変形せず、加熱時に自由成形が可能となるようにすることができる。酢酸ビニルの添加量が２５〜４０％のものを使用できる。また、この樹脂は歯科分野でよく使用されていて、安全性が高く、安心して用いることができる。【００３４】
長さは、一般的には人の左第３大臼歯位置から右第３大臼歯位置に至る長さとするが、個人によっては皺や皮膚のたるみの状況によりそれより短く、あるいは長くしても差し支えない。上下寸法（幅）は、口腔前庭において歯肉の高さよりも低くする。前後寸法（厚み）は、口腔前庭において歯肉と頬粘膜が対向する位置部分及び前歯個所の歯肉と口唇粘膜が対向する位置部分ではその部分を頬粘膜側及び口唇粘膜側に張出させて前後寸法（厚み）を大きくすると共に犬歯個所の歯肉と口唇粘膜が対向する位置部分は前後寸法を小さくする。張出し量は、歯肉と頬粘膜が対向する位置部分で最も大きく、前歯個所の歯肉と口唇粘膜が対向する位置部分では比較的小さくする。【００３５】
全体としての凹凸及び輪郭をなだらかな曲線で連続させる。
豊頬ピースにおける長さ方向全体の中央に唇小帯が位置するための凹所を上下方向に形成しておくことは好ましい。
図５，６は、豊頬ピース１であり、ＥＶＡ樹脂〔東ソウ（株）のウルトラセン＃７５０（商品名）〕を成形してある。この素材は、人体温度で変形せず、７０℃程度の加熱時に自由成形が可能であり、常温では柔軟かつゴム弾性を有して保形性がある。
豊頬ピース１は、図５のように、長手方向でまっすぐにした状態で製品とされている。【００３６】
正面視（図７）において、全長１００ｍｍの左右対称形であり、左右に膨大部２と中央部に小隆起部３を有する。膨大部２の上下寸法（幅）は最大８ｍｍ、小隆起部３の上下寸法は、最大５ｍｍであり、その他の帯状部４は上下寸法が５ｍｍである。
平面視（図８）において、前記左右の膨大部２は、さらに前方（唇側）に張出して張出し部５となっている。張出し部５は豊頬ピース１の長手方向中央部から両側へ３０ｍｍの位置が最も張出しており、この点を中心として端部と中央側へ低くなっている。端部側が緩く、中央側が急傾斜となっている。前記帯状部４の前後寸法（厚み）は約１．２ｍｍ、小隆起部３は前後方向に小さく張出した小張出し部６となっており、この部分の前後方向寸法は最大で約３ｍｍである。左右の小張出し部６，６の中間で歯肉側に口唇小帯用の凹部７が上下方向に形成されている。そして、豊頬ピース１全体の輪郭や張出し部５及び小張出し部６は、図に示すように、全体が滑らかな曲線で連続されている。【００３７】
豊頬ピース１の後面（歯肉側面）は図６（イ）のようにほぼ平らに形成しておくが、同（ロ）、（ハ）のように、複数個の吸盤凹部８を形成しておくこともある。吸盤凹部８は豊頬ピース１を装着したとき柔らかな歯肉粘膜と唾液の影響で豊頬ピースの密着性が高まり、歯肉を吸着して使用中のずれを防止する。
本発明の第二の態様による豊頬ピースの一例を図１４に示す。なお、図１４に示す豊頬ピースでは、小張出し部６が設けられていない。【００３８】
この豊頬ピース１は次のように使用する。
製品の豊頬ピース１を湾曲させ、頬粘膜と歯肉の間及び口唇粘膜と歯肉との間にある口腔前庭（図１１）に嵌めこんで自分の歯肉の湾曲の程度と外縁の大きさを把握する。このとき豊頬ピース１中央の凹所７が、口唇小帯の位置となるように左右の基準を定める。ついで、豊頬ピース１を７０〜９０℃の湯にいれて、その湾曲の程度と外縁の大きさに適合するように豊頬ピース１を手ひねりで成形する。長さの調整は、帯状部４などの厚みを増すことで調整が可能であるが、どうしても長い場合には両端をはさみで切取るなどして調整する。【００３９】
つぎに、歯肉の隆起部と衝突する個所を湾曲の内側から外側へ押出すようにして凹ませ、また、同時に、装着状態で豊頬ピース１の上縁が歯肉の上縁よりも上方とならないように（図１２）成形して、調整する。
この作業を何度か繰りかえし、自分の口腔前庭７の構造にフィットした豊頬ピース１を作り上げる。この作業は豊頬ピース１をお湯で軟化させては形態を調整し、あてはめてみるだけの作業であるから、誰でもが簡単にできる。【００４０】
口腔前庭は歯肉の根本部が凹み、犬歯の個所では歯肉が大きく前方へ張出しており、且つ、この形態は個人差や年齢差があるので必要な作業である。
ついで、張出し部５は小張出し部６の突出量や最大突出位置を調整して、自分の容貌が矯正される位置を見出し、その形態を固定する。張出し部５などの張出し量が大き過ぎるときは、この部分を押し潰したり、切除する。【００４１】
以上の作業によって、自分用の豊頬ピース１が完成する。後は必要時に口腔前庭に装着するだけでフィットする。そして、張出し部５が頬肉を外側へ押出して垂れた頬肉や顎肉を吊り上げ、また、鼻唇溝や口角溝を緩和する。さらに、小張出し部６が下唇を外側へ押出してしゃくれた顎を引戻すなどするので、気になる容貌を改善することができる。
容貌が左右不均衡な場合には、片側の頬肉を張出し部５で押出すことにより、垂れた片側を吊り上げるなどして容貌を改善することができる。【００４２】
実施例で示した形態、寸法は一例である。口腔の大きさにも個人差があるから、長さや上下寸法などは大、中、小程度の種類を準備することもある。また、矯正が必要な程度も個人差が大きいから、張出し部の大きさや豊頬ピースとしての全体的な前後方向寸法も大、中、小程度に準備しておくことが好ましい。
素材としてＥＶＡ樹脂が好ましいが、同様な性状を備え、人体に無毒な素材（例えば、流動パラフィンとポリプロピレンを配合したＳＥＢＳ樹脂など）を採用できることは言うまでもない。
【実施例】
【００４３】
実施例１：
本発明の第一の態様による皺伸ばし用マウスピースの製造の一例を示す。
（１）患者の口腔内の印象（型取り）を取る。石膏を用いて口腔内石膏模型を作成する。
（２）クラスプ部分（図面中の符号１及び３）
鋳造又はワイヤーを歯の形に合わせて曲げて作製する。
（３）前の部分（図面中の符号２）
鋳造又はワイヤーを口の丸みに合わせて曲げて作製する。
（４）ワックスにて頬を膨らませるための部材（図面中の符号４、５及び６）を作製し、上記（２）及び（３）で作製したクラスプ部分及び前の部分をつけて、石膏模型に戻す。
（５）上記（４）の石膏模型を埋没して、ワックスを溶かして流してしまい、レジンを注入し、重合する。
（６）上記（５）で作製したマウスピースを、研磨して調製し、患者の口に適合させる。
【産業上の利用可能性】
【００４４】
本発明の第一の態様によれば、実用性、耐久性、及び安全性を有する皺伸ばし用マウスピースが提供される。本発明のマウスピースは人体に安全な材料で比較的簡便に作製することができる。本発明の第一の態様によるマウスピースは壊れにくく、仮に壊れても簡単に修理することができる。また、本発明のマウスピースは、歯科医師などの専門家により使用者の歯形及び顔形に適合した形状に作製することができるため、装着感や使用感に優れている。本発明のマウスピースは、役者や俳優のみならず、熟年者等の頬のこけた人、外見を保つことを望む人など一般人が広く使用することができる。【００４５】
さらに本発明の第二の態様による豊頬ピースは誰にも一般的に適用できる形態となっているから、個人的な特注の必要がない。このため、大量生産できるから、きわめて安価に提供することができ、手軽な美容感覚で利用することができる。また利用者が納得するまで自分で形状調整をすることができるから、装着の満足度が高い。
【図面の簡単な説明】
【００４６】
【図１】図１は、本発明の皺伸ばし用マウスピースの上面図である。
【図２】図２は、本発明の皺伸ばし用マウスピースの正面図である。
【図３】図３は、本発明の皺伸ばし用マウスピースの側面図である。
【図４】図４は、本発明の皺伸ばし用マウスピースの斜視図である。
【図５】図５は、斜視図（製品）を示す。
【図６】図６イ、ロ、ハは、それぞれ斜視図（使用時）を示す。
【図７】図７は、正面図（製品）を示す。
【図８】図８は、平面図（製品）を示す。
【図９】図９は、使用の状態を説明する平面図１を示す。
【図１０】図１０は、使用の状態を説明する平面図２を示す。
【図１１】図１１は、装着個所の説明図を示す。
【図１２】図１２は、装着状態を説明するための説明図を示す。
【図１３】図１３のイ〜ホは矯正を説明するための模式図を示す。
【図１４】図１４は、本発明の製品の一例を示す。
【図１】
0004897489.tif 000002
【図２】
0004897489.tif 000003
【図３】
0004897489.tif 000004
【図４】
0004897489.tif 000005
【図５】
0004897489.tif 000006
【図６】
0004897489.tif 000007
【図７】
0004897489.tif 000008
【図８】
0004897489.tif 000009
【図９】
0004897489.tif 000010
【図１０】
0004897489.tif 000011
【図１１】
0004897489.tif 000012
【図１２】
0004897489.tif 000013
【図１３】
0004897489.tif 000014
【図１４】
0004897489.tif 000015